(57)【要約】【課題】内周面の全周にわたって凹条を設けたラケットにおいて、フェース部のサイド部を補強する。【解決手段】テニスラケット１は、フェース部２、シャフト３及びグリップ４よりなる。フェース部２は略々長円形であり、その内周面２ａには全周にわたって凹条が設けられている。また、この実施の形態では、フェース部２の外周面２ｂには、ガット保護材を嵌合配置するための溝５が設けられている。内周面２ａは略円弧状に凹に湾曲している。また、外周面２ｂは、溝５の部分を除き、略円弧状に凸に湾曲している。フェース部２のサイド部分に補強材６がフェース部２の延在方向に延設されている。補強材６はフェース部２の厚み方向の両端側に設けられている。【選択図】図２
2008036077.tif 000002
【特許請求の範囲】
【請求項１】
ガットが張られるフェース部を有するラケットであって、該フェース部の内周面の略全周にわたって凹条が周方向に延設されているラケットにおいて、該フェース部のサイド部分に補強材をフェース部の延在方向に延設したことを特徴とするラケット。
【請求項２】
請求項１において、前記補強材は、前記フェース部の内周面のうちフェース部厚み方向の両端側に設けられていることを特徴とするラケット。
【請求項３】
請求項１又は２において、該ラケットは繊維強化樹脂製であり、前記補強材は、プリプレグを配置することにより形成されたものであることを特徴とするラケット。
【請求項４】
請求項３において、該プリフレグは、補強用の繊維がプリフレグの長手方向と斜交する一方向にのみ配向するものであり、
２葉以上のプリフレグが積層されており、重なり合うプリフレグの繊維の斜交方向が互いに反対方向となっていることを特徴とするラケット。
【発明の詳細な説明】
【技術分野】
【０００１】
本発明はテニスラケット等のラケットに係り、特に内周面に凹条を延設したラケットに関する。
【背景技術】
【０００２】
テニスラケットは、周知の通り、ガット（ストリング）が張られるフェース部と、プレーヤーによって握られるグリップ部と、これらをつなぐシャフト部とからなる。
【０００３】
従来のテニスラケットの多くは、繊維強化合成樹脂製とされている。
【０００４】
特開２００１−９０６７号には、内周面の全周にわたって凹条を設け、ストリングが占める面積を増大させてラケットのパワーを増大させたラケットが記載されている。
【特許文献１】特開２００１−９０６７号
【発明の開示】
【発明が解決しようとする課題】
【０００５】
本発明者は、上記のように内周面の全周にわたって凹条を設けたラケットは、フェース部分がたわみ易く、初心者や女性など非力な人でも、しなりを効かせた打球を打てることを見出した。しかしながら、このようにしなり易いと、フェース部分がボールヒット時にねじれたりすることがある。
【０００６】
本発明は、上記のように内周面の全周にわたって凹条を設けたラケットにおいて、フェース部のサイド部を補強することを目的とする。
【課題を解決するための手段】
【０００７】
本発明のラケットは、ガットが張られるフェース部を有するラケットであって、該フェース部の内周面の略全周にわたって凹条が周方向に延設されているラケットにおいて、該フェース部のサイド部分に補強材をフェース部の延在方向に延設したことを特徴とするものである。
【０００８】
この補強材は、前記フェース部の内周面のうちフェース部厚み方向の両端側に設けられていることが好ましい。
【０００９】
本発明では、ラケットは繊維強化樹脂製であり、前記補強材は、プリプレグを配置することにより形成されたものであることが好ましい。
【００１０】
この場合、該プリフレグは、補強用の繊維がプリフレグの長手方向と斜交する一方向にのみ配向するものであり、２葉以上のプリフレグが積層されており、重なり合うプリフレグの繊維の斜交方向が互いに反対方向となっていることが好ましい。
【発明の効果】
【００１１】
かかる本発明のラケットにあっては、補強材によってフェース部が補強されているので、ボールヒット時のフェース部のねじれが小さくなり、ラケットの反発性能が向上する。
【００１２】
この補強材をフェース部の厚み方向の両端側に設けるのが効果的である。この補強材は、繊維強化樹脂のプリフレグを用いて形成されることが好ましい。
【００１３】
重なり合うプリフレグの繊維の配向方向を反対方向とすることにより、フェース部に偏った残留応力が生じないようになる。
【発明を実施するための最良の形態】
【００１４】
以下、図面を参照して実施の形態について説明する。第１図は実施の形態に係るラケットの正面図、第２図は第１図のII−II線に沿う断面図、第３図はプリフレグの貼り付け状態を示す斜視図である。
【００１５】
このテニスラケット１は、フェース部２、シャフト３及びグリップ４よりなる。フェース部２は略々長円形であり、その内周面２ａには全周にわたって凹条が設けられている。また、この実施の形態では、フェース部２の外周面２ｂには、ガット保護材を嵌合配置するための溝５が設けられている。この溝５の底面と内周面２ａとを連通するようにガット挿通孔（図示略）が設けられている。
【００１６】
この実施の形態では、フェース面と垂直で且つフェース中心から放射方向に沿って取った断面図（例えば第２図）において、内周面２ａは略円弧状に凹に湾曲している。また、外周面２ｂは、溝５の部分を除き、略円弧状に凸に湾曲している。内周面２ａの凹の円弧状の曲率半径は外周面２ｂの凸の円弧状の曲率半径よりも大きく、従ってフェース部２の断面形状は三日月形となっている。この内周面２ａの凹の湾曲の曲率半径は１０〜２５ｍｍ程度が好適であり、外周面２ｂの凸の湾曲の曲率半径は１２〜２０ｍｍ程度が好適である。内周面２ａの凹条の深さｄは３〜８ｍｍ程度が好適である。
【００１７】
この実施の形態では、ラケット１は繊維強化樹脂製である。
【００１８】
上記フェース部２のサイド部分に補強材６がフェース部２の延在方向に延設されている。
【００１９】
この実施の形態にあっては、補強材６はフェース部２の厚み方向の両端側に設けられている。この補強材６は、第３図のように、ラケットの製造時に繊維強化樹脂の２枚のプリフレグ７Ａ，７Ｂを未硬化のフェース部に貼り合わせて一体に硬化させることにより形成されたものである。フェース部２の一方（フォア側）及び他方（バッグ側）の各々において、それぞれプリフレグ７Ａ，７Ｂが重ね合わされている。
【００２０】
このように補強材６を設けたことにより、ボールヒット時のフェース部２のねじれが小さくなり、初心者や女性などの非力なプレーヤーでも使い易いものになる。
【００２１】
上記のプリフレグ７Ａ，７Ｂは、フェース部２の延在方向に長い帯状のものであり、その長手方向と斜交方向に配向した補強繊維（例えば炭素繊維）８Ａ，８Ｂを含有している。この繊維８Ａ，８Ｂの配向方向とプリフレグ７Ａ，７Ｂの長手方向との交叉角度θは２０゜〜４５゜が好適である。
【００２２】
このプリフレグ７Ａ，７Ｂの繊維８Ａ，８Ｂの配向方向は、第３図の通り、互いに反対方向となっている。このため、プリフレグ７Ａ，７Ｂを付着させて硬化させたときに繊維８Ａ，８Ｂによって発生する残留応力の方向はプリフレグ７Ａ，７Ｂで互いに反対方向となるので、フェース部２に偏った残留応力が生じることが防止される。
【００２３】
このようなプリフレグ７Ａ，７Ｂの各々の厚みは０．２〜０．４ｍｍであり、２枚積層した状態で０．４〜０．８ｍｍであることが好ましい。この補強材６を設ける範囲（第１図のＳ）は、フェース部２のテニスラケットの長手方向の長さをＬとした場合、フェーストップから補強材６の先端（フェーストップ側の端部）までの距離Ｌ１と、補強材４の後端までの距離Ｌ２とがそれぞれ次の範囲となるように定めるのが好ましい。
Ｌ×２０％≦Ｌ１≦Ｌ×３５％
Ｌ×６５％≦Ｌ２≦Ｌ×８０％
とりわけ
Ｌ×２５％≦Ｌ１≦Ｌ×３０％
Ｌ×７０％≦Ｌ２≦Ｌ×７５％
この補強材６の存在範囲は、多くのプレーヤーのヒッティングエリアの側方部位であり、ボールヒット時のフェース部２のねじれを十分に小さくすることができる。
【００２４】
本発明のラケットフレームは、上記の通り繊維強化合成樹脂製とされるのが好ましい。この補強繊維としては、引張弾性率が８〜２４ｔｏｎ／ｍｍ２のものが好適であり、ガラス繊維、カーボン繊維、Ｔｉ−Ｓｉ−Ｃ−Ｏ系繊維（商品名チラノ繊維）、芳香族ポリアミド繊維、芳香族ポリエステル繊維、超高分子ポリエチレン繊維などを用い得るが、コストの面からもカーボン繊維が好適である。
【００２５】
合成樹脂としては、エポキシ樹脂、ナイロンなどが好適である。
【００２６】
本発明のラケットフレームの母材部分を合成樹脂にて製造するには、例えば、複数のプリプレグシートを芯材の回りに積層し、フェース部２のサイド部についてはさらにプリフレグ７Ａ，７Ｂを貼り付け、これを金型のフレーム形状としたキャビティ内に配置し加熱するという繊維強化合成樹脂製ラケットフレームの通常の製造法によれば良い。
【図面の簡単な説明】
【００２７】
【図１】実施の形態に係るテニスラケットの正面図である。
【図２】図１のII−II線に沿う断面図である。
【図３】プリフレグの貼付状態を示す模式的な斜視図である。
【符号の説明】
【００２８】
１  テニスラケット
２  フェース部
３  シャフト部
４  グリップ部
６  補強材
７Ａ，７Ｂ  プリプレグ
８Ａ，８Ｂ  繊維
【図１】
2008036077.tif 000003
【図２】
2008036077.tif 000004
【図３】
2008036077.tif 000005